(57)【要約】磁性粒子を備えた試料体積部（１０２）を分析するための方法に関し、測定コイル（１０４）を用いて、試料体積部（１０２）に作用する磁場（１０８）を発生させるように、電気的励起信号（１０６）を測定コイル（１０４）に印加するステップを備える。更に、本方法は、測定コイル（１０４）のインダクタンスに依存する電気的測定信号（１１０）を検知するステップと、測定信号（１１０）を用いて、試料体積部（１０２）の透磁率を分析するステップとを備える。【選択図】図１
2016529506.tif 000002
【特許請求の範囲】
【請求項１】
磁性粒子を備えた試料体積部（１０２）を分析する方法であって、
測定コイル（１０４）を用いて、前記試料体積部（１０２）に作用する磁場（１０８）を発生させるように、電気的励起信号（１０６）を前記測定コイル（１０４）に印加するステップ（７０１）と、
前記測定コイル（１０４）のインダクタンスに依存する電気的測定信号（１１０）を検知するステップ（７０３）と、
前記測定信号（１１０）を用いて、前記試料体積部（１０２）の透磁率を分析するステップ（７０５）と、を有する
ことを特徴とする方法。
【請求項２】
前記試料体積部（１０２）の前記透磁率を決定するように、前記測定信号（１１０）を参照信号と比較するステップを備え、前記参照信号は、前記測定コイル（１０４）の前記インダクタンスに依存する更なる電気的測定信号（１１０）を表し、その一方で、前記測定コイル（１０４）は、参照体積部に作用する磁場（１０８）を発生させる
請求項１に記載の方法。
【請求項３】
前記測定コイル（１０４）の第１接点は、第１素子（６５１）を介して前記電気的励起信号（１０６）を印加するために、第１端子（６４１）に接続され、前記測定コイル（１０４）の第２接点は、第２素子（６５２）を介して電気的平衡信号（６０６）を印加するために、第２端子（６４２）に接続され、且つ前記測定コイル（１０４）の前記第２接点は、測定インターフェース（６４３）に接続され、且つ前記印加するステップ（７０１）において、前記励起信号（１０６）は前記第１端子（６４１）に印加され、且つ前記平衡信号（６０６）は前記第２端子（６４２）に印加され、且つ前記検知するステップ（７０３）において、前記測定信号（１１０）は前記測定インターフェース（６４３）で検知され、前記平衡信号（６０６）は１つの信号を表し、もし前記測定コイル（１０４）によって発生される前記磁場（１０８）が参照体積部に作用する場合、該１つの信号によって、参照電圧が前記測定インターフェース（６４３）に存在する
請求項１または２に記載の方法。
【請求項４】
前記測定コイル（１０４）の第１接点は、第１素子（６５１）を介して前記電気的励起信号（１０６）を印加するために、第１端子（６４１）に接続され、前記測定コイル（１０４）の第２接点は、第２素子（６５２）を介して電気的平衡信号（６０６）を印加するために、第２端子（６４２）に接続され、且つ前記測定コイル（１０４）の前記第２接点は、測定インターフェース（６４３）に接続され、且つ、前記印加するステップ（７０１）において、前記励起信号（１０６）は前記第１端子（６４１）に印加され、且つ前記平衡信号（６０６）は前記第２端子（６４２）に印加され、且つ、前記検知するステップ（７０３）において、前記平衡信号（６０６）は、前記測定信号（１１０）として検知され、前記平衡信号（６０６）は、前記測定コイル（１０４）によって発生された前記磁場（１０８）が、前記試料体積部（１０２）又は参照体積部に作用するかどうかに依存せず、ある一定の参照電圧を前記測定インターフェース（６４３）で設定するように形成される
請求項１ないし３のいずれかに記載の方法。
【請求項５】
更なる測定コイル（４０４）を用いて、更なる試料体積部（５０２）に作用する更なる磁場（４０８）を発生させるように、更なる電気的励起信号（４０６）を前記更なる測定コイル（４０４）に印加するステップと、前記更なる測定コイル（４０４）のインダクタンスに依存する更なる電気的測定信号（４１０）を検知するステップ（７０３）とを備え、前記更なる測定信号（４１０）は、前記更なる試料体積部（５０２）の透磁率の分析を可能にするが、これは、前記更なる測定コイル（４０４）の前記インダクタンスが、前記更なる試料体積部（５０２）の前記透磁率に依存するためである
請求項１ないし４のいずれかに記載の方法。
【請求項６】
前記試料体積部（１０２）及び前記更なる試料体積部（５０２）における前記磁性粒子の分布を決定するステップを備え、この決定は、前記測定信号（１１０）、前記更なる測定信号（４１０）、及び、前記試料体積部（１０２）の位置に関する情報、前記更なる試料体積部（５０２）の位置に関する情報、並びに、前記励起信号（１０６）の特性に関する情報、及び前記更なる励起信号（４０６）の特性に関する情報、を用いることによる
請求項５に記載の方法。
【請求項７】
前記試料体積部（１０２）を不均質な補助磁場（５３０）に曝露するステップを備え、且つ、前記分析するステップ（７０５）において、前記試料体積（１０２）中の前記磁性粒子の分布は、前記測定信号（１１０）及び、前記試料体積部（１０２）内の前記補助磁場（５３０）の空間的経路に関する情報を用いて決定される
請求項１ないし６のいずれかに記載の方法。
【請求項８】
前記印加するステップ（７０１）、前記検知するステップ（７０３）、及び前記曝露するステップは、繰り返し実行され、前記補助磁場の前記空間的経路は、前記試料体積部（１０２）を前記複数の曝露するステップにおいて変化され、且つ前記分析するステップ（７０５）において、前記磁性粒子の前記分布は、前記複数の検知するステップ（７０３）で検知された前記測定信号（１１０）と、前記複数の曝露するステップの間の、前記補助磁場（５３０）の空間的経路の変化に関する情報と、を用いて決定される
請求項７に記載の方法。
【請求項９】
磁性粒子を備えた試料体積部（１０２）を分析するための装置（１００）であって、
測定コイル（１０４）であって、電気的励起信号（１０６）を前記測定コイル（１０４）に印加することに応答して、前記試料体積部（１０２）に作用する磁場（１０８）を発生させるように形成された、測定コイル（１０４）と、
前記測定コイル（１０４）のインダクタンスに依存する測定信号（１１０）を検知するための測定インターフェース（６４３）であって、前記測定信号（１１０）は、前記試料体積部（１０２）の透磁率の分析を可能にするが、これは、前記測定コイル（１０４）の前記インダクタンスが、前記試料体積部（１０２）の前記透磁率に依存するためである、測定インターフェース（６４３）と、を備える
ことを特徴とする装置。
【請求項１０】
前記試料体積部（１０２）は、前記測定コイル（１０４）の内部に配置される
請求項９に記載の装置（１００）。
【請求項１１】
前記測定コイル（１０４）を貫いて導かれるコイルコア（３２０）を備え、前記コイルコア（３２０）の１つの端部は、前記試料体積部（１０２）を曝露するための先端部として形成される
請求項９に記載の装置（１００）。
【請求項１２】
前記測定信号（１１０）を用いて、前記試料体積部（１０２）の前記透磁率を決定するように形成された評価手段（１１２）を備える
請求項９ないし１１のいずれかに記載の装置（１００）。
【請求項１３】
前記測定コイル（１０４）の第１接点は、第１素子（６５１）を介して前記電気的励起信号（１０６）を印加するために、第１端子（６４１）に接続され、前記測定コイル（１０４）の第２端子は、第２素子（６５２）を介して電気的平衡信号（６０６）を印加するために、第２端子（６４２）に接続され、且つ前記測定コイル（１０４）の前記第２接点は、前記測定インターフェース（６４３）に接続される
請求項９ないし１２のいずれかに記載の装置（１００）。
【請求項１４】
前記第１素子（６５１）はコンデンサ又は電線であり、前記第２素子（６４２）は抵抗器、コイル又は電線である
請求項１３に記載の装置（１００）。
【請求項１５】
更なる電気的励起信号（４０６）を更なる測定コイル（４０４）に印加することに応答して、更なる試料体積部（５０２）に作用する更なる磁場（４０８）を発生させるように形成された前記更なる測定コイル（４０４）を備え、前記更なる測定コイル（４０４）の前記インダクタンスに依存する更なる電気的測定信号（４１０）を検知するための更なる測定インターフェースを備え、前記更なる測定信号（４１０）は、前記更なる試料体積部（５０２）の前記透磁率の分析を可能にするが、これは、前記更なる測定コイル（４０４）の前記インダクタンスが、前記更なる試料体積部（５０２）の前記透磁率に依存するためである
請求項９ないし１４のいずれかに記載の装置（１００）。
【請求項１６】
前記試料体積部（１０２）及び前記更なる試料体積部（５０２）は、少なくとも部分的に重なる
請求項１５に記載の装置（１００）。
【発明の詳細な説明】
【技術分野】
【０００１】
本発明は、磁性粒子を備えた試料体積部を分析するための方法及び装置に関する。
【背景技術】
【０００２】
技術及び医学においては、磁気特性を有するナノ粒子に対して、広い分野の応用が存在する。それらは、細胞の活性度のような、造影剤のような、又は、流れ又は血管を例示するためのトレーサのような、特定の特性のためのマーカーとして使用してもよい。磁気特性は、間接的又は直接的に測定してもよい。
【０００３】
間接的な測定方法に対する一例は、例えば、磁気共鳴画像法（ＭＲＩ）であり、そこでは鉄又はガドリニウムを含む物質が、造影剤として利用される。ここで、検出は通常、周囲の陽子の緩和特性が変化することによる。これは、造影剤の特性を決定すること、及び局在化を実行することの両方を可能にする。多くの機能化された粒子を含めて、磁気特性を有するそのような粒子及び造影剤は、多数存在する。これらは、例えば、特殊な細胞に結合するための、特殊表面被膜及び／又は結合サイトを備えている。そのような結合がもたらされると、粒子はいずれも標的箇所に位置付けられ、且つ、例えば、集団化によって自身の特性を変化させるかもしれない。
【０００４】
磁性粒子の直接検出に対しては、非特許文献１が、磁性粒子画像法（ＭＰＩ）のための方法を提示しているが、この方法は、非線形な磁化曲線を有する粒子を位置付けることが可能である。この方法は、次の事実に基づいている。即ち、粒子の磁化は、外部交流磁場において、小さな磁場強度に対してだけ非線形性を有するが、しかし高い磁場強度に対しては飽和に達し、その後は線形の振舞いを示す、という事実である。非常に小さな磁場を有するように形成された、又は非常に小さな領域では磁場無し（磁場無しポイント（ＦＦＰ)）であるように形成された、相応に大きな磁場を有する補助磁場にわたって、この磁場無しポイントにおける粒子だけは、非線形な磁化の振舞いを示す。検出は、粒子の磁化を測定することによって行われる。もし交流磁場の周波数の高次高調波が、フーリエ分解（スペクトル）において見出される場合、そのことから、磁場無しポイントに粒子が存在することを推測でき、磁場無しポイントに関して、試料を走査することによって、画像を計算することが可能である。これらの高次高調波は、評価のために利用される。
【先行技術文献】
【非特許文献】
【０００５】
【非特許文献１】Ｇｌｅｉｃｈ  ａｎｄ  Ｗｅｉｚｅｎｅｃｋｅｒ，ｉｎ  Ｎａｔｕｒｅ  Ｖｏｌ  ４３５／３０  ｐ．１２１４ｆｆ，２００５
【発明の概要】
【発明が解決しようとする課題】
【０００６】
本発明の目的は、磁性粒子を備えた試料体積部を分析するための、改良された方法及び改良された装置を提供することである。
【課題を解決するための手段】
【０００７】
この目的は、主な請求項に従って、磁性粒子を備えた試料体積部を分析するための方法及び装置によって達成される。
【０００８】
説明するアプローチは、磁性粒子のための検出方法として適している。説明するアプローチの実施形態によれば、局在化及び、粒子特性の追加的又は代替的な測定は、透磁率を測定することによって行ってもよい。有利なことには、単一コイルの使用は、ここでは十分であり、この単一コイルは、試料体積部に作用する励起磁場を発生させること、及び試料体積部の透磁率に関する情報を得ることの両方のために、利用してもよい。試料体積部の透磁率に関する情報から、例えば、少なくとも１つの磁性粒子が、試料体積部の中に存在するかどうかを推測することが可能である。
【０００９】
磁性粒子を備えた試料体積部を分析するための方法は、
測定コイルを用いて、試料体積部に作用する磁場を発生させるように、測定コイルに電気的励起信号を印加するステップと、
測定コイルのインダクタンスに依存する電気的測定信号を検知するステップと、
測定信号を用いて、試料体積部の透磁率を分析するステップと、
を備える。
【００１０】
測定コイルによって発生された磁場の磁力線は、試料体積部を通過してもよい。試料体積部は、分析されるべき領域、又は試料自体であってもよい。例えば、試料体積部はまた、分析されるべきエリアを含んでもよい。異なる実施形態によれば、試料体積部は、測定コイルの内部に配置してもよく、測定コイルに直接隣接して配置してもよく、又は測定コイルから一定の間隔を空けて配置してもよい。試料体積部の状態に依存して、試料体積部中には、磁性粒子が存在しなくもよく、又は少なくとも１つの磁性粒子が存在してもよい。磁性粒子は磁性材料であってもよく、これは、例えば、試料として試料体積部中に導入してもよい。測定コイルは、１つのコイル巻き線、又は複数のコイル巻き線を備えてもよい。コイルは、適切な形状、例えば、円筒形状を有してもよい。コイルは、適切な回路、例えばブリッジ回路に接続してもよい。励起信号は、測定コイルに、直接又は１つ以上の素子を介して印加してもよい。励起信号は、交流信号であってもよい。従って、磁場は、交流磁場であってもよい。例えば、励起信号は、交流電圧又は交流電流であってもよい。測定信号は、電圧を表してもよい。そのような測定信号は、電圧計測によって検出してもよい。例えば、コイルにわたる電圧降下を検知してもよい。測定信号はまた、電流を表してもよい。そのような測定信号は、電流測定によって、例えば、コイルを貫いて流れる電流を測定することによって、検知してもよい。測定信号を検知するステップ、及び励起信号を印加するステップは、同時に実行してもよい。検知するステップ及び印加するステップは、延長した時間期間にわたって実行してもよい。もし励起信号が交流信号である場合、測定信号は、例えば励起信号が、１つ以上の振動位相を通過する間に、検知してもよい。コイルのインダクタンスは、試料体積部の透磁率に依存する。もし試料体積部の透磁率が変化する場合、測定コイルのインダクタンスは変化する。従って、測定信号は、試料体積部の透磁率、又は透磁率における変化を示してもよい。試料体積部の透磁率を分析するステップは、従って、測定信号の量、変化及び時間的経過の評価を備えてもよい。測定信号の評価を通して、試料体積部の透磁率に関する情報を得てもよい。試料体積部の透磁率は、試料体積部内の磁場強度に対する、試料体積部内の磁束密度の比であってもよい。透磁率に関する情報は、今度は、試料体積部内の物質の磁気特性を分析するために、例えば、試料体積部における少なくとも１つの磁性粒子を検出するために、使用してもよい。
【００１１】
本方法のステップは、試料体積部の透磁率を測定するために、実行してもよい。それに由来する試料体積部の透磁率曲線から、試料体積部の磁化曲線を決定することが可能である。このように、線形磁化曲線及び非線形磁化曲線の両方を決定することが可能である。
【００１２】
本方法は、測定信号を参照信号と比較するステップを備えてもよい。参照信号は、例えば、続いて説明されるように、参照電圧又は参照電流であってもよい。比較によって、試料体積部の透磁率を決定してもよい。参照信号は、測定コイルのインダクタンスに依存する更なる電気的測定信号を表してもよく、その一方で、測定コイルは、参照体積部に作用する磁場を発生させる。参照体積部は、参照試料、例えば、空気を備えてもよい。従って、測定信号及び参照信号は、同じ測定コイルを用いて、異なる時間に検知されてもよい。ここで異なる時間とは、（測定信号を決定するために）磁場が試料体積部に作用する間に一度、及び（参照信号を決定するために）磁場が参照体積部に作用する間に一度、という具合である。両方の時間において、測定コイルは、同じ励起信号によって励起してもよい。例えば、参照体積部は、既知の磁気特性の材料、例えば、空気で満たしてもよい。従って、試料体積部は、例えば、中に試料が存在する体積部であってもよく、且つ参照体積部は、同じ体積部であってもよいが、しかし中に試料が存在しない。参照信号は、一度検知し、且つ、その後は、格納してもよい。従って、比較するステップにおいて、測定信号は、格納された参照信号と比較してもよい。比較は、測定信号及び参照信号の適切な組み合わせによって、実施してもよい。例えば、透磁率は、測定信号と参照信号との間の違いに基づいて決定してもよく、このことは、参照信号に関連付けられた透磁率についても同様である。従って、試料体積部の透磁率は、極めて容易に決定されるかもしれない。
【００１３】
一実施形態によれば、測定コイルの第１接点は、第１素子を介して電気的励起信号を印加するために、第１端子に接続してもよく、測定コイルの第２接点は、第２素子を介して電気的平衡信号を印加するために、第２端子に接続してもよく、且つ測定コイルの第２接点は、測定インターフェースに接続してもよい。素子は、例えば電線、抵抗器、コンデンサ又はコイルであってもよい。素子はまた、幾つかの素子の直列接続及び／又は並列接続を表してもよい。印加するステップにおいて、励起信号は、第１端子に印加してもよく、且つ平衡信号は、第２端子に印加してもよい。検知するステップにおいて、測定信号は、測定インターフェースで検知してもよい。平衡信号は１つの信号を表し、もし測定コイルによって発生された磁場が、参照体積部に作用する場合、該１つの信号によって、測定インターフェースにおいて参照電圧が存在する。参照電圧は、ある一定の電圧値、例えば、ゼロボルトを有してもよい。平衡信号の値又は経過は、参照測定の間に決定されていてもよく、ここで測定コイルの磁場は、前述の参照体積部に作用する。このことは、励起信号を提供するための非常に単純な回路、及び試料体積部を分析するための平衡信号、を使用することを可能にする。
【００１４】
別の実施形態によれば、測定コイルの第１接点は、第１素子を介して電気的励起信号を印加するために、第１端子に接続してもよく、測定コイルの第２接点は、第２素子を介して電気的平衡信号を印加するために、第２端子に接続してもよく、且つ測定コイルの第２接点は、測定インターフェースに接続してもよい。印加するステップにおいて、励起信号は、第１端子に印加してもよく、且つ平衡信号は、第２端子に印加してもよい。検知するステップにおいて、平衡信号は、測定信号として検知してもよい。平衡信号は、測定インターフェースにおいて、ある一定の参照電圧を設定するように形成してもよいが、この設定は、測定コイルによって発生された磁場が、試料体積部又は参照体積部に作用するかどうかに依存する。従って、平衡信号は、ある一定の参照電圧を設定するように、連続的に再調節してもよい。参照電圧は、例えば、ゼロボルトであってもよい。有利なことには、この方法では、参照測定は必要ない。
【００１５】
本方法は、更なる測定コイルを用い、更なる電気的励起信号を更なる測定コイルに印加するステップを備え、それによって、更なる試料体積部に作用する更なる磁場を発生させる。更に、本方法は、更なる測定コイルのインダクタンスに依存する、更なる電気的測定信号を検知するステップを備えてもよい。更なる測定信号は、更なる試料体積部の透磁率の分析を可能にするかもしれず、これは、更なる測定コイルのインダクタンスが、更なる試料体積部の透磁率に依存するためである。２つの試料体積部は同一であってもよく、少なくとも部分的に互いに重なっているか、又は互いに重なっていなくてもよい。試料体積部が、少なくとも部分的に互いに重なっている場合、試料を非常に正確に分析することが可能である。例えば、試料内の磁性材料の空間分布を、分析することが可能である。
【００１６】
本方法は、試料体積部及び更なる試料体積部における磁性粒子の分布を決定するステップを備えてもよく、この決定には、測定信号、更なる測定信号、及び試料体積部の位置に関する情報、更なる試料体積部の位置に関する情報、並びに励起信号の特性に関する情報、更なる励起信号の特性に関する情報を用いる。このように、磁性粒子の空間分布は、励起信号の特性を適切に選択することによって、決定することが可能である。
【００１７】
加えて、又は代わりに、本方法は、試料体積部及び更なる試料体積部を、補助磁場に曝露するステップを備えてもよい。更に、本方法は、試料体積部及び更なる試料体積部における磁性粒子の分布を決定するステップを備えてもよく、この決定には、測定信号、更なる測定信号、及び、試料体積部及び更なる試料体積部における補助磁場の特性に関する情報を用いる。従って、磁性粒子の空間分布を決定するための、別な方法が存在する。
【００１８】
一実施形態によれば、本方法は、試料体積部を不均質な補助磁場に曝露するステップを備えてもよい。分析するステップにおいて、試料体積部中の磁性粒子の分布は、測定信号及び、試料体積部内の補助磁場の空間的経路に関する情報を用いて、決定してもよい。空間的経路に関する情報は、例えば、低い磁場強度を有する補助磁場の部分の位置に関する情報を備えてもよい。
【００１９】
印加するステップ、検知するステップ、及び曝露するステップは、複数回実行してもよく、ここで補助磁場の空間的経路は、繰り返される、試料体積部を曝露するステップにおいて変化させてもよい。分析するステップにおいて、磁性粒子の分布は、測定信号を用いて決定してもよく、この決定は、繰り返される、検知するステップにおいて検知された測定信号と、繰り返される、曝露するステップの間での、補助磁場の空間的経路における変化に関する情報と、を用いることによる。従って、例えば、引き続き検知するステップは、補助磁場ごとに、異なる空間的経路で実行してもよい。個々の測定信号を検知する間に、補助磁場の空間的経路が既知となることにより、例えば、透磁率の特別な分布、又は試料体積部内の磁性粒子の空間分布を、決定することが可能である。
【００２０】
磁性粒子を備えた試料体積部を分析するための装置は、
測定コイルであって、自身に電気的励起信号を印加することに応答して、試料体積部に作用する磁場を発生させるように形成された測定コイルと、
測定コイルのインダクタンスに依存する電気的測定信号を検知するための測定インターフェースであって、該測定信号は、試料体積部の透磁率の分析を可能にするが、これは、測定コイルのインダクタンスが、試料体積部の透磁率に依存するためである、測定インターフェースと、
を備える。
【００２１】
そのような装置は、磁性粒子を備えた試料体積部を分析するための、前述の方法のステップを実行するのに適している。
【００２２】
そのような装置では、試料体積部は、測定コイルの内部に配置してもよい。このように、例えば、試験管の中に配置された試料を分析してもよい。代替として、試料体積部は、測定コイルの外部に配置してもよい。
【００２３】
装置は、測定コイルを貫いて導かれたコイルコアを備えてもよい。コイルコアの１つの端部は、試料体積部を曝露するための先端部として形成してもよい。測定コイルの磁場は、先端部を通って試料体積部に集中させてもよい。その上、コイルコアは、コイルと試料体積部との間の空間的距離を埋めるために、使用してもよい。
【００２４】
装置は、評価手段を備えてもよい。評価手段は、測定信号を用いて、試料体積部の透磁率を決定するように、形成してもよい。磁性粒子の透磁率は、粒子自体及び粒子の環境の両方を分析することを可能にする。
【００２５】
一実施形態によれば、測定コイルの第１接点は、第１素子を介して電気的励起信号を印加するために、第１端子に接続してもよく、測定コイルの第２接点は、第２素子を介して電気的平衡信号を印加するために、第２端子に接続してもよく、且つ測定コイルの第２接点は、測定インターフェースに接続してもよい。このように、測定コイルは、適切なブリッジ回路に含めてもよい。
【００２６】
第１素子は、コンデンサ又は電線であってもよい。第２素子は、抵抗器、コイル又は電線であってもよい。素子を適切に選択することによって、装置の計測学的特性を調節することが可能である。
【００２７】
装置は、更なる測定コイルを備えてもよい。更なる測定コイルは、更なる電気的励起信号を更なるコイルに印加することに応答して、更なる試料体積部に作用する更なる磁場を発生させるように、形成してもよい。装置は、更なる測定コイルのインダクタンスに依存する更なる電気的測定信号を検知するための、更なる測定インターフェースを更に備えてもよい。更なる測定信号は、更なる試料体積部の透磁率を分析することを可能にするかもしれないが、これは、更なる測定コイルのインダクタンスが、更なる試料体積部の透磁率に依存するためである。試料体積部は異なっていてもよく、又は少なくとも部分的に同一であってもよい。試料体積部及び更なる試料体積部は、従って、少なくとも部分的に重なってもよい。更なる測定コイルを用いると、ただ１つのコイルを用いた場合と比較して、例えば、試料体積部をより正確に分析することが可能である、又はより大きな試料体積部を分析することが可能である。装置は、２つ以上、３つ以上の測定コイルを備えてもよい。
【００２８】
本発明の好ましい実施形態は、添付図面を参照しながら、以下でより詳細に説明されるであろう。
【図面の簡単な説明】
【００２９】
【図１】本発明の一実施形態による、試料体積部を分析するための装置の概略説明図
【図２】本発明の一実施形態による、試料体積部を分析するための装置の概略説明図
【図３】本発明の一実施形態による、試料体積部を分析するための装置の概略説明図
【図４】本発明の一実施形態による、試料体積部を分析するための装置の概略説明図
【図５】本発明の一実施形態による、試料体積部を分析するための装置の概略説明図
【図６】本発明の一実施形態による、試料体積部を分析するための装置の概略説明図
【図７】本発明の一実施形態による、試料体積部を分析するための方法のフローチャート
【図８】本発明の一実施形態による、試料体積部を分析するための装置の概略説明図
【図９】本発明の一実施形態による、試料体積部を分析するための装置の概略説明図
【図１０】図１０は、磁化の実例を示す説明図
【発明を実施するための形態】
【００３０】
本発明の好ましい実施形態の以下の記述において、同じ又は同様の参照符号は、様々な図面の中で描かれた、同様に作用する要素に対して使用されるものとし、ここでは、そのような要素の繰り返される記述は、省略することにする。
【００３１】
図１は、本発明の一実施形態による、磁性粒子を備えた試料体積部１０２を分析するための装置１００の略図を示す。装置１００は、測定コイル１０４を備える。図１に示したブロック１０４は、測定コイル又は、測定コイルを備える回路、例えば、ブリッジ回路を表してもよい。励起信号１０６（例えば電圧又は電流）が、分析手続きの間、インターフェースを介して測定コイル１０４に印加される場合、磁場１８０が測定コイル１０４によって発生される。
【００３２】
測定コイル１０４及び試料体積部１０２は、互いに対して一列に整列しており、その結果、磁場１０８は、試料体積部１０２に作用する（例えば、試料体積部１０２に浸透する）。試料体積部１０２はまた、試料と見なしてもよい。測定コイル１０４のインダクタンスは、試料体積部１０２の透磁率に依存する。従って、試料体積部１０２の透磁率は、測定コイル１０４のインダクタンスから推測することが可能である。この目的のために、測定コイル１０４は、測定コイル１０４のインダクタンスに依存する測定信号１１０を検知するための、測定インターフェースに接続される。測定コイル１０４のインダクタンス及び、従って、試料体積部１０２の透磁率は、測定信号１１０によって決定することが可能である。
【００３３】
この実施形態によれば、装置１００は、電気的測定信号１１０を評価するための評価手段１１２を備える。評価手段１１２は、測定信号１１０を受信し、且つ測定信号１１０に基づいて、試料体積部１０２に関する分析結果を決定すると共に提供するように、形成される。例えば、評価手段１１２は、試料体積部１０２の透磁率の値、又は透磁率に依存する値を決定するように、形成してもよい。測定コイル１０４及び評価手段１１２は、共通のハウジング内に配置してもよい。代替として、測定コイル１０４及び評価手段１１２は、別個のハウジングに配置してもよい。装置１００は、測定信号１１０を外部の評価手段１１２に提供するためのインターフェースを備えてもよい。従って、異なる実施形態によれば、装置１００は、評価手段１１２が有る状態、又は無い状態で実現してもよい。
【００３４】
一実施形態によれば、評価手段１１２は、参照信号を用いて、試料体積部１０２の分析を実施するように形成される。参照信号は、分析手続きの間、測定コイル１０４のインダクタンスを対応付ける、格納された測定信号を表してもよい。ここで、この分析手続きの間、試料体積部１０２は、参照体積部に対応する。
【００３５】
一実施形態によれば、評価手段１１２は、平衡信号を用いて、試料体積部１０２の分析を実施するように形成される。平衡信号は、分析手続きの間、測定コイル又は、測定コイルを備えた回路に提供される信号に対応してもよい。
【００３６】
この実施形態によれば、装置１００は、励起信号１０６を提供するための励起手段１１４を備える。励起手段１１４は、例えば、電流源又は電圧源として形成してもよい。測定コイル１０４及び励起手段１１４は、共通のハウジング内に配置してもよい。代替として、測定コイル１０４及び励起手段１１４は、別個のハウジングに配置してもよい。装置１００は、励起手段１１４から励起信号１０６を受信するためのインターフェースを備えてもよい。従って、異なる実施形態によれば、装置１００は、励起手段１１４が有る状態、又は無い状態で実現してもよい。
【００３７】
装置１００は、試料体積部１０２、例えば、試料のための容器のような入れ物を備えてもよく、又は試料体積部１０２は、装置１００に隣接して配置してもよい。
【００３８】
図１に示した実施形態によれば、試料体積部１０２は、装置１００の外部で、測定コイル１０４に隣接して配置する、又は配置してもよい。例えば、試料体積部１０２は、測定コイルの長手軸に沿って配置してもよい。ここで測定コイルは、例えば、円筒コイルとして形成される。
【００３９】
試料体積部１０２の分析のために、試料体積部１０２は、装置に向けて移動させてもよく、又は逆もまた同様である。
【００４０】
一実施形態によれば、分析手続きは、試料１０２又は試料体積部１０２の透磁率を測定することに基づいている。透磁率の形をしたパラメータは有利である。何故ならば、それは、測定装置１００の特に適切な構造を可能にするからである。
【００４１】
一実施形態によれば、試料１０２の透磁率は、測定コイル１０４のインダクタンスを測定することによって、測定される。この目的のために、ある一定強度の交流磁場１０８が、測定コイル１０４によって発生され、且つ電流又は電圧のいずれかが、このコイル１０４で測定される。そのことから、試料１０２の透磁率は、交流磁場１０８によって周期的に繰り返される磁場強度で、決定することが可能である。
【００４２】
決定された透磁率の局所的な関連付けは、この交流磁場１０８の強度又は位相のいずれかを局所的に変動させることによって（例えば、傾きを変えることによって）、行うことが可能である。この変動は、例えば、空間的に通過する波であってもよく、ここで正弦波的な励起の位相は、空間にわたって変化する。
【００４３】
図５に関して続けて示すように、例えば別の手段によって、例えば、局所的に異なる静的な、又は準静的な磁場を付加的に印加することによって、その磁場の変動により、局所的な関連付けを行うことが可能である。インダクタンスを測定する場合、透磁率の微分を測定してもよい。一実施形態によれば、局所的な関連付けのためには、透磁率は、磁場強度に依存していることが必要である。
【００４４】
一実施形態によれば、試料体積部は、不均質な補助磁場に曝露してもよい。これは、画像法に対して利用してもよい。一実施形態によれば、補助磁場が実現され、その結果、この補助磁場は、試料体積部内に非常に小さな磁場を有するか、又は磁場無しポイントを有し、且つこの補助磁場は、試料体積部の他の全てのポイントでは大きく、例えば、非常に大きいため、そこに配置された粒子の飽和を引き起こす。大きな補助磁場によって飽和した粒子の磁束は、測定コイル１０４による磁場変動によって、著しくは変化しない。この故に、測定信号１１０は、試料体積部１０２の領域に関連付けられるが、ここで試料体積部１０２の中では、補助磁場は、低い磁場強度を有する。一実施形態によれば、測定コイル１０４を用いて、試料体積部１０２の透磁率は連続的に測定され、即ち、測定信号１１０が検知されるが、その一方で、補助磁場の磁場無しポイントは、機械的又は電気的に移動される。このように、画像をラスター化してもよい。
【００４５】
一実施形態によれば、試料体積１０２における磁性粒子の空間分布は、このように確認してもよい。概して言えば、この目的のために、補助磁場を利用してもよく、この磁場の、磁場強度の空間的経路は、低い磁場強度の第１部分と、第１部分に比べて高い磁場強度の第２部分とを有する。分析時間期間の間、試料体積部１０２内の２つの部分の空間的場所は変化する。これは、試料体積部１０２内の粒子の透磁率の空間的変化につながる。複数の測定信号１１０（これらは、補助磁場の部分の空間的場所の変化に依存する）は、分析時間期間の間、検知される。試料体積部１０２内の磁性粒子の空間分布に関する情報は、複数の測定信号１１０を評価することによって、確認してもよい。空間分布に関する情報は、例えば、試料体積部１０２内の粒子の空間分布の画像表現を確認するように、画像法によって使用してもよい。
【００４６】
空間分布に関する情報は、例えば、評価手段１１２によって決定してもよい。この目的のために、評価手段１１２は、補助磁場の変化に関する情報を結合するように形成してもよい。ここで補助磁場の変化に関する情報とは、例えば、複数の測定信号１１０に関して、例えば、補助磁場の磁場無しポイントの、第１部分の場所の時間的及び空間的経路に関する情報である。例えば、複数の測定信号１１０の各々は、測定信号１１０を検知する時点での、補助磁場の第１部分の現在の場所に関連付けてもよい。従って、測定信号１１０の各々は、試料体積部１０２内の位置に関連付けてもよい。
【００４７】
補助磁場は、図５に示すように、例えば、補助磁場を発生させるための手段によって、発生させてもよい。
【００４８】
一実施形態によれば、局所的に敏感なコイル１０４を用いた局所的測定もまた、粒子を検出するのに利用してもよい。
【００４９】
透磁率は、磁性粒子画像法（ＭＰＩ）で使用する場合のように、磁化とは異なる。その場合には、励起周波数に関する情報を使用することは、通常、排除される。更に、その場合には、信号は、高い磁場強度で使用されない。何故なら、粒子は飽和状態にあり、且つ、従って、磁化は変化しないからである。
【００５０】
もし説明した設備が、磁気共鳴断層撮影のような、非常に強い磁場中にもたらされる場合、粒子は測定可能な透磁率を有するが、しかし磁場強度が変動しても、磁化は変化しない。常磁性体又は反磁性体は、自身の磁化を変化させるが、しかし、その変化は線形であり、従って、ＭＰＩ設備によって、その変化を記録できない。この理由は、その場合には非線形の変化だけが、考慮され得るからである。このことは、本明細書で説明したアプローチによる装置１００を用いることによって、回避することが可能である。
【００５１】
図２は、本発明の一実施形態による、磁性粒子を備えた試料体積部１０２を分析するための装置１００の略図を示す。装置１００は、次のことを除いて、図１に示す装置に対応してもよい。即ち、図２に示した実施形態において、試料体積部１０２は、測定コイル１０４の内部に配置するか、又は配置してもよく、即ち、例えば、測定コイル１０４の複数の巻き線によって囲まれる、ということを除く。
【００５２】
試料体積部１０２は、試料体積部１０２を分析するための測定コイル１０４の内部に導入してもよい。
【００５３】
図３は、本発明の一実施形態による、磁性粒子を備えた試料体積部１０２を分析するための装置１００の略図を示す。装置１００は、次のことを除いて、図１に示す装置に対応してもよい。即ち、図３に示した実施形態によれば、コイルコア３２０は、測定コイル１０４を貫いて導かれ、且つ試料体積部１０２は、コイルコア３２０の１つの端部に配置される、又は配置されてもよい、ということを除く。
【００５４】
図４は、本発明の一実施形態による、磁性粒子を備えた試料体積部１０２を分析するための装置１００の略図を示す。装置１００は、次のことを除いて、図１に示す装置に対応してもよい。即ち、装置１００は更なる測定コイル４０４を備え、且つ試料体積部１０２は、２つの測定コイル１０４と４０４との間に配置される、又は配置されてもよい、ということを除く。例えば、測定コイル１０４、４０４は、試料体積部１０２を貫いて伸びる共通の長手軸を備えてもよい。
【００５５】
更なる励起信号４０６が、更なる測定コイル４０４に印加される場合、更なる磁場４０８が、更なる測定コイル４０４によって発生される。更なる測定コイル４０４及び試料体積部１０２は、互いに対して一直線に整列し、その結果、更なる磁場４０８が、試料体積部１０２に作用する（例えば、試料体積部１０２に浸透する）。更なる測定コイル４０４のインダクタンスは、試料体積部１０２の透磁率に依存する。試料体積部１０２の透磁率は、更なる測定コイル４０４のインダクタンスから推測することが可能である。この目的のために、装置１００は、更なる測定コイル４０４のインダクタンスに依存する更なる電気的測定信号４１０を検知するための、更なる測定インターフェースを備える。更なる測定コイル４０４のインダクタンス及び、この故に、試料体積部１０２の透磁率は、更なる測定信号４１０を介して決定することが可能である。
【００５６】
この実施形態によれば、評価手段１１２（これは、装置１００に対して内部又は外部の手段として、再び実現してもよい）は、試料体積部１０２を分析するための２つの電気的測定信号１１０、４１０を検知すると共に、評価するように形成される。測定信号１１０、４１０を評価するために、評価手段１１２は、測定信号１１０を評価するための励起信号１０６、４０６に関する情報を、付加的に受信すると共に使用してもよい。
【００５７】
励起手段１１４は、励起信号１０６、４０６を発生させ、且つ励起信号１０６、４０６を測定コイル１０４、４０４に提供するように形成される。一実施形態によれば、励起手段１１４は、異なる特性（例えば、異なる位相）を有する励起信号１０６、４０６を提供するように形成される。励起信号１０６、４０６の特性に関する情報は、インターフェースを介して、励起手段１１４によって評価手段１１２に提供してもよい。
【００５８】
図５は、本発明の一実施形態による、磁性粒子を備えた試料体積部１０２を分析するための装置１００の略図を示す。装置１００は、次のことを除いて、図４に示す装置に対応してもよい。即ち、この実施形態によれば、測定コイル１０４、４０４は、互いに対して隣に配置され、即ち、測定コイル１０４、４０４の長手軸は、互いに対して平行である、ということを除く。この実施形態によれば、更なる測定コイル４０４は、更なる試料体積部５０２を分析するために使用される。代替として、測定コイル１０４、４０４は、図示した試料体積部１０２、５０２を含む、通常の試料体積部を分析するために使用してもよい。
【００５９】
評価手段１１２は、試料体積部１０２、５０２を別々に評価するか、又は共通の試料体積部内に磁性粒子の空間分布を発生させるように、形成してもよい。例えば、評価手段１１２は、磁性粒子の空間分布の画像表現、又は共通の試料体積１０２、５０２内の透磁率の表現を生成するように、形成してもよい。
【００６０】
試料体積部１０２、５０２を分析するために、評価手段１１２は、励起信号１０６、４０６の特性に関する情報、及び試料体積部１０２、５０２の、又は測定コイル１０４、４０４の位置（例えば、相対的位置）に関する情報を使用してもよい。
【００６１】
加えて、又は代わりに、評価手段１１２は、補助磁場５３０の特性に関する情報を受信し、且つ試料体積部１０２、５０２を分析するために、その同じ情報を使用してもよい。この実施形態によれば、補助磁場５３０は、補助磁場５３０を発生させるための手段５３２（例えば、１つ以上の磁石及び１つ以上のコイルの配置による）によって発生される。手段５３２はまた、装置１００の一部分であってもよい。補助磁場５３０は、例えば、図１を参照しながら説明したように、形成すると共に利用してもよい。
【００６２】
図６は、本発明の一実施形態による、磁性粒子を備える試料体積部１０２を分析するための装置１００の略図を示す。図示しているのは、装置１００の測定コイル１０４の可能な接続である。そのような接続はまた、先の図で示した装置１００で使用してもよい。
【００６３】
装置１００は、第１端子６４１と、第２端子６４２と、測定インターフェース６４３とを備える。
【００６４】
測定コイル１０４の第１接点は、第１素子６５１（例えばコンデンサ）を介して、第１端子６４１に接続される。測定コイル１０４の第２接点は、測定インターフェース６４３に接続され、且つ第２素子６５２（例えば抵抗器）を介して、第２端子６４２に接続される。
【００６５】
そして励起信号１０６は、先の図を参照しながら説明したように、第１端子６４１を介して、供給してもよい。この目的のために、第１端子６４１は、図１を参照しながら説明したような、適切な励起回路に接続することが可能である。
【００６６】
平衡信号６０６は、第２端子６４２を介して、供給してもよい。この目的のために、第１端子６４１はまた、例えば、励起回路に接続してもよい。ここで励起回路は、励起信号１０６に加えて、平衡信号６０６を提供するように形成される。
【００６７】
一実施形態によれば、測定信号は、既に説明したように、装置１００の分析手続きの間、測定インターフェース６４３に印加される。測定信号は、例えば、試料体積部を分析するように、評価手段１１２によって検知すると共に評価してもよい。
【００６８】
別の実施形態によれば、分析手続きの間、平衡信号６０６は、第２端子６４２に供給され、その結果、所定の安定した参照信号が、測定インターフェース６４３に印加される。この目的のために、平衡信号６０６は、例えば、測定インターフェース６４３に印加される信号を用いて、調整手段によって調整してもよく、その結果、参照信号は、測定インターフェース６４３に印加される。それに由来する平衡信号は、その後、試料体積部を分析するために、測定信号として、評価手段１１２によって評価してもよい。
【００６９】
図７は、本発明の一実施形態による、磁性粒子を備えた試料体積部を分析するための方法のフローチャートを示す。本方法は、例えば、先の図を参照しながら説明したような装置に関連して、適用してもよい。
【００７０】
ステップ７０１では、電気的励起信号が、測定コイルに印加される。励起信号によって励起されて、測定コイルは、試料体積部に作用する磁場を発生させるように形成される。ステップ７０３では、測定コイルのインダクタンスに依存する電気的測定信号が、検知される。ステップ７０５では、試料体積部の透磁率が、測定信号に基づいて分析される。
【００７１】
一実施形態によれば、ステップ７０５において、測定信号は、参照信号を用いて分析してもよい。測定コイルの磁場が参照体積部に作用する間に、参照信号は、本方法のステップ７０１、７０３を実行することによって、確認することが可能である。参照信号又は、参照信号に対応する値は、例えば、決定の後に、格納手段に格納し、且つ格納手段から読み出してもよい。
【００７２】
本発明の一実施形態によれば、例えば、磁性粒子を備えた試料体積部を分析するための、そのような方法は、図６を参照しながら説明したような装置に関連して、適用してもよい。
【００７３】
ステップ７０１では、励起信号は、装置の第１端子に印加され、且つ平衡信号は、装置の第２端子に印加される。ステップ７０３では、測定インターフェースに印加される信号は、測定信号として検知される。
【００７４】
測定コイルの磁場が参照体積部に作用する間に、ステップ７０１で印加されるべき平衡信号は、本方法のステップ７０１、７０３を実行することによって、前もって確認すると共に格納してもよい。ここで、平衡信号は、参照信号が測定インターフェースに印加されるように、調節される。
【００７５】
もし本方法のステップが、測定コイルの磁場が試料体積部に作用する間に実行される場合、測定信号は、変化していない励起信号及び平衡信号にもかかわらず、参照信号と異なる。但しこのことは、試料体積部の透磁率が参照体積部と異なる、ということが前提である。試料体積部の透磁率は、従って、参照体積部の透磁率が既知の場合には、参照信号及び測定信号との間の違いから、推測されるかもしれない。
【００７６】
更なる実施形態によれば、ステップ７０１において、励起信号は、装置の第１端子に印加され、且つ平衡信号は、装置の第２端子に印加される。ここで、平衡信号は、参照信号が測定インターフェースに現れるように、調節される。異なる試料体積部を分析する場合、平衡信号は、参照信号が測定インターフェースに印加されるように、そのつど調節される。
【００７７】
もし本方法のステップが、測定コイルの磁場が試料体積部に作用する間に実行される場合、平衡信号は、励起信号が変化しないにもかかわらず、参照体積部に対して調節された平衡信号と異なる。但しこのことは、試料体積部の透磁率が参照体積部と異なる、ということが前提である。参照体積部の透磁率が既知である場合には、試料体積部の透磁率は、参照体積部及び試料体積部に対して調節された平衡信号のずれから、推測されるかもしれない。分析するステップ７０５において、参照体積部に対して調節された平衡信号、又はこの平衡信号に対応する値は、格納手段に格納し、且つ格納手段から読み出してもよい。
【００７８】
別の実施形態によれば、本方法は、２つ以上の試料体積部を分析するように、２つ以上の測定コイルを用いることによって、適用してもよい。
【００７９】
この目的のために、ステップ７０１において、電気的励起信号が測定コイルに提供され、且つ少なくとも１つの更なる電気的励起信号が、少なくとも１つの更なる測定コイルに提供される。ステップ７０３では、測定コイルのインダクタンスに依存する測定信号が検知され、且つこの測定信号は、試料体積部（複数を含む）を分析するために、ステップ７０５において評価される。
【００８０】
ステップ７０５では、励起信号の特性に関する情報、及び、付加的に又は代替的に、試料体積部（複数を含む）に作用する１つ以上の補助磁場の特性に関する情報もまた、測定信号を評価するために使用してもよい。ここで、ステップ７０５において、動力学的粒子の空間分布又は、試料体積部（複数を含む）内の透磁率の値を、確認してもよい。
【００８１】
図８は、本発明の一実施形態による、磁性粒子を備えた試料体積部を分析するための装置１００の略図を示す。図示しているのは、装置１００の測定コイル１０４の可能な接続である。そのような接続はまた、先の図で示した装置１００で利用してもよい。
【００８２】
装置１００は、第１端子６４１と、第２端子６４２と、測定インターフェース６４３とを備える。
【００８３】
測定コイル（Ｌ）１０４の第１接点は、第１素子６５１（ここではコンデンサ（Ｃ））を介して、第１端子６４１に接続される。測定コイル１０４の第２接点は、電線を介して測定インターフェース６４３に接続され、且つ第２素子６５２（ここでは抵抗器（Ｒ））を介して第２端子６４２に接続される。
【００８４】
励起信号１０６（ここでは第１交流電圧Ｕ１〜の形をしている）は、例えば、第１同軸線を介して第１端子６４１に供給してもよい。平衡信号６０６（ここでは第２交流電圧Ｕ２〜の形をしている）は、例えば、第２同軸線を介して第２端子６４２に供給してもよい。 
【００８５】
本実施形態によれば、既に説明した測定信号又は、既に説明した参照信号は、装置１００の測定インターフェース６４３と接地接続８４５との間で、取り出してもよい。
【００８６】
図９は、本発明の一実施形態による、磁性粒子を備えた試料体積部を分析するための装置１００の略図を示す。装置１００は、図３を参照しながら説明したように、例えば、コイルコア３２０を有する測定コイルを備える。コイルコアは、１つの端部で平坦な端部、及び他の端部で先端部を有する円筒ロッドとして形成される。先端部は、試料体積部１０２の中に導かれる、又は試料体積部１０２に向けられる。コイルコア３２０の先端部を通って、磁場１０８の磁力線は、試料体積部１０２上に集中される。装置１００は、例えば、給電するための、又は信号を供給するための、若しくは信号を読み出すためのインターフェースとして、２つの電線を備える。
【００８７】
本発明の様々な実施形態が、先の図を参照しながら、以下で説明されるはずである。
【００８８】
透磁率の測定は、実施形態の基礎を形成する。
【００８９】
物質中で磁場を伝導する特性としての透磁率は、交流磁場を発生させるコイル１０４のインダクタンスを介して、直接利用可能である。これは、そのような測定装置１００の有利な構造を可能にする。最も単純な場合、装置１００は単一のコイル１０４を備え、このコイル１０４は、交流電圧１０６を印加すると、測定体積部１０２において、ある一定強度の磁場１０８を発生させる。コイル１０４のインダクタンスは、透磁率に直接依存し、且つ、例えば、測定信号１１０を介した単純な電流測定又は電圧測定によって、決定することが可能である。電圧計測との組み合わせにおけるブリッジ回路のような、適切な電気的接続によって、測定された電圧信号１１０を調節することは容易に可能であり、その結果、測定された電圧１１０は、試料を試料体積部１０２に導入し、それ故、透磁率が変化することから生じる電圧１１０の変化にだけ対応する。従って、電圧１１０の電圧計測のダイナミックレンジは、関連する情報のために使用してもよい。
【００９０】
一実施形態によれば、そのような測定ブリッジは、試料体積部１０２中に磁場を発生させることが可能なコイル１０４と、抵抗器６５２とを備える。励起信号１０６を介して測定コイル１０４に印加される電圧は、選択された磁場１０８が発生されるように、選択される。平衡信号６０６を介してブリッジ抵抗器６５２に印加される電圧は、最も単純な場合、試料が無い状態で、電圧メータで電圧１１０が降下しないように、これに対応して選択される。試料が、測定コイル１０４の体積部１０２の中に導入される場合、試料の透磁率は、磁場１０８の印加磁場強度に依存して、電圧曲線１１０から決定することが可能である。物質の量のような、試料体積部１０２における磁性材料の存在及び特性は、その透磁率から推測されるかもしれない。
【００９１】
一実施形態によれば、電圧Ｕ１〜１０６は、適切な交流磁場１０８がコイル１０４で発生されるように、選択される。原理の問題として、図８に示すコンデンサ６５１は必要ないが、しかしコンデンサ６５１は、リアクタンスを減少させるための良い選択肢であり、その結果、低電圧で、高電流を発生させることが可能である。具体的には、例えば２０ｋＨｚの周波数での正弦波電圧は、励起信号１０６として適している。これによって発生される磁場１０８は、理想的には、先端部で５ｍＴよりも大きく、且つ数百ｍＴに到達するかもしれない。その磁場の時間的経過に関して、電圧Ｕ２〜６０６は、次のように選択される。即ち、空の測定コイル１０４の場合（即ち、空の試料体積部１０２の場合）、出力６４３（即ち、接地と、コイル１０４及び抵抗器６５２の接続との間の電圧）では、参照信号として、０Ｖの電圧が常に発生される。最も単純な場合、平衡電圧６０６もまた正弦波電圧であり、これは、電圧Ｕ１〜１０６に対して、ある一定レベル、且つある一定位相の電圧である。着磁可能な試料が、コイル１０４の中に導入される、又はコイル１０４の近傍にもたらされる場合、試料体積部１０２中の試料の透磁率に依存する電圧曲線が、出力６４３で得られる。
【００９２】
図８に示したような測定ブリッジは、例えば、２つの基本的モードの動作である、ブリッジ平衡及びブリッジ電圧の測定を有する。
【００９３】
ブリッジ平衡では、抵抗器での時間依存電圧は、測定インターフェース６４３でのブリッジ電圧が常にゼロになるように、調節される。実際の測定信号１１０は、試料体積部１０２中に試料が有る状態と無い状態における、抵抗器６５２での電圧の違いである。
【００９４】
ブリッジ電圧を測定する場合、抵抗器６５２での電圧は、次のように調節される。即ち、測定インターフェース６４３でのブリッジ電圧は、測定コイル１０４が空の場合（即ち、試料体積部１０２が空の場合）、ゼロになるように調節される。さて、測定されるブリッジ電圧は、実際の測定信号１１０である。
【００９５】
これら２つのモードの組み合わせを使用すること、及び、従って、電圧メータのダイナミックレンジと、ダイナミックレンジとしての、抵抗器６５２での電圧との和を得ることもまた、可能である。
【００９６】
この測定配置はまた、他の実施形態において実現してもよい。電圧計測の代わりに、電流測定を実施してもよい。
【００９７】
大きな測定体積部１０２に関して有利なことは、特に、測定コイル１０４が、交流磁場１０８の周波数と共鳴マッチングを起こすことでああり、その結果、動作は低電圧となるかもしれない。一実施形態において、コイル１０４は、適切に選択されたコンデンサ６５１と、直列に接続される。また、図８に示したブリッジ抵抗器６５２は、より複雑な配置のコイル、コンデンサ及び抵抗器によって、置き換えてもよい。幾つかの場合において、周囲空間からの干渉を抑制するために、反対磁場方向のコイルで、しかも測定コイル１０４と同様のコイルを選択することは有利である。この配置は、傾度測定器のように作用するが、そこでは、両方のコイルで等しく発生された電圧信号は、完全に相殺される。より複雑な配置の電気部品を、共鳴のような特性に適合させるように、測定コイル１０４に対して並列又は直列に接続してもよい。
【００９８】
そのような測定システム１００の特別な履行例は、測定体積部１０２を囲み、且つそこで均質な交流磁場１０８を発生させるコイル１０４である。別の特別な配置は、表面の前で、磁場１０８を発生させることが可能な測定コイル１０４であり、この磁場は、表面からの距離に関して、均質であるか、又は線形的な方法で強度が減少する。
【００９９】
考えられることであるが、この測定装置１００は、励起周波数での測定に対して特に適しており、その理由は、共鳴マッチングによって、測定装置１００が、正確にこの周波数で敏感になっているためである。しかしながら、これは不利なことではない。何故なら、これは貴重な情報に役立ち、また何故なら、透磁率の非線形性は、とりわけ、一連の高次高調波につながるからである。この高次高調波に対しては、その場合、広帯域測定が必要である。そのために、別の周波数との共鳴マッチングは、感知を単に限定的にする。にもかかわらず、測定コイル１０４を励起周波数に共鳴的にマッチさせる必要はない。原理の問題として、代わりに、別の周波数に関してマッチングを起こしてもよく、且つコイルの多重共鳴マッチングに対する、一連の知られたアプローチが利用可能である。
【０１００】
試料体積部１０２内での粒子の局在化は、次のメカニズムの１つ又はそれらの組み合わせによって行ってもよい。
【０１０１】
もしコイル１０４が局所的にのみ敏感である場合、粒子は、これによって、局所的に決定することが可能である。ここで注意するべきことであるが、この設計は、容易に小型化され、且つ、従って、例えばカテーテルの中に統合されるかもしれない。従って、磁化された粒子の局所的測定を、例えば血管の中で行うことが可能である。
【０１０２】
１つの特別な拡張は、この測定配置１００において、磁場１０８を別の場所に伝導するために、１つ以上の磁気的に伝導性のコア３２０を使用する可能性である。例えば、図９に示すように、強磁性材料の針をコイル１０４の中に設置することが可能である。コイル１０４は、適度な磁束を発生させる。この磁束は、コア３２０の中では飽和未満に保持されるが、しかし針の先端部では高磁束となり得る。針の先端部の領域１０２における着磁可能な粒子は、特に高い応答信号を発生させる。何故なら、ここでは、磁化が最も高いからである。従って、顕微鏡を実現することが可能である。
【０１０３】
例えば、図９に示す配置は、指示された領域に高い局所的磁場を発生させるが、この領域は、試料体積部１０２として役立つかもしれない。更なる測定配置（追加で利用されるかもしれない）は、ここでは描かれていない。
【０１０４】
図を参照しながら説明したように、装置１００を用いることによる粒子の局在化は、個々の測定コイル１０４、４０４のアレイ構成によって行ってもよい。ここで、最も単純な場合、例えば、物体表面の二次元測定に対して、アレイ構成は、次のように実施することが可能である。即ち、個々の測定コイル１０４、４０４を有する個々の要素は、それら自身の、境を接する測定体積部１０２、５０２を測定し、且つ画像が、それから計算される、という具合に実施される。
【０１０５】
一実施形態において、個々の測定コイル１０４、４０４を有する個々の要素は、個々の測定が、重なる体積部１０４、４０４において行われるように、配置してもよい。ここで、個々のコイル１０４、４０４の磁場１０８、４０８の適切な磁場プロファイル(個々の周波数又は等しい周波数、励起電圧の振幅及び位相との組み合わせにおける均質な励起磁場又は励起磁場勾配のような）によって、振幅及び／又は位相において異なる、局所的に異なった時間依存の磁場が発生されるかもしれない。励起パターンの適切な組み合わせにより、それから画像を計算してもよい。例証のための単純な例は、例えば、図４に示すような２つの向かい合うコイル１０４、４０４である。これらの磁場１０８、４０８は、コイルの間にある測定体積部１０２において、コイル１０４、４０４の構造によって選択され、その結果、もし２つのコイル１０４、４０４が、交流電圧の異なる位相で駆動される場合、全体的な磁場の振幅はほぼ等しいが、しかし異なる位相が得られ、この異なる位相に依存して、コイル１０４、４０４はより近づく。スポット試料の透磁率（一般に複素数値）は、その位相（ここでは一次元）を介してコイル１０４、４０４の間の場所を示す。
【０１０６】
そのような構成は、一次元測定のための円筒物体に対する、導体ループの直線的ひものような測定される物体に依存して、個々に最適化してもよい。それに対応して、場所の三次元符号化は、三次元配置において、そのように向かい合う、幾つかのコイル１４０、４０４によって、実施することが可能である。
【０１０７】
最も単純な場合では、反ヘルムホルツコイルによる、外部的に発生された磁場勾配のような補助磁場５３０により、透磁率を変化させ、且つ、従って透磁率を局所的に符号化することも可能である。そのような配置を、例えば、図５に示す。この場合、非線形透磁率（これは、磁化に非常に類似している）を測定し、且つ画像再構築のために使用することが可能である。
【０１０８】
ＭＲＩの磁場のような強い磁場における透磁率は、測定可能な量であり、且つここでの粒子検出及び特性評価のためにも、利用されるかもしれない。
【０１０９】
単純な例では、統合された測定コイル１０４を有するカテーテルのような、局所的に敏感なコイルによる粒子の局在化及び特性評価は、粒子の存在を局所的に測定するかもしれない。例として、ジスプロシウム（ＩＩＩ）酸化物のような常磁性物質の存在は、従って、決定されるかもしれない。しかしながら、提示される他の技術もまた、利用されるかもしれない。
【０１１０】
一実施形態によれば、示される装置１００は、対応する試料体積部１０２の中に存在するかもしれない磁性粒子を検出するための、分光計として履行される。ここで特別なのは、励起磁場及び検出磁場１０８を発生させるために、単一コイル１０４だけが必要だということである。コイル１０４の特別な電気的接続のために、コイル１０４の構造に関する特別な配置が無い、背景無しの方法で、磁性粒子の信号を得ることが可能である。
【０１１１】
ここで注意するべきことであるが、この配置は、コイル１０４の励起周波数で信号を拾い上げることに、特に適している。従って、反磁性体及び常磁性体が通常示すような、磁場強度に依存する線形磁化を有する粒子についても、測定することが可能である。
【０１１２】
そのような分光計は、それ自体で磁性粒子のための分光計として、及び画像構成の一部分としての両方で、動作させてもよい。静的磁場５３０はまた、ちょうど外部的に発生された静的オフセット磁場５３０との共働のような構成において、測定のためのオフセットとして実現してもよい。
【０１１３】
磁性ナノ粒子の透磁率は、粒子自体についての重要な情報だけでなく、それらの環境についての情報も与える。従って、粒子の濃度だけでなく、サイズ又は温度のような粒子の特性も決定することが可能である。環境はまた、影響力を有し、例えば、周囲媒体の粘性は、信号に対して効果を有するかもしれず、且つ、従って、測定されるかもしれない。
【０１１４】
非線形磁化曲線を有する粒子のような粒子を適切に選択することを仮定すれば、即ち、磁化及び、この故に、粒子の透磁率が、印加された磁場及び局所的に変動可能な磁場５３０に関して非線形的な方法で増加することを仮定すれば、信号の局所的な関連付けを実行し、且つ、従って、画像を生成することが可能である。
【０１１５】
特に、フェライト粒子又は常磁性物質のような、着磁可能な物質の局在化が可能である。
【０１１６】
そのような物質に対する測定プローブの小型化は、ここでは、例えば、カテーテルに対して実施してもよい。
【０１１７】
そのような物質の検出はまた、例えばＭＲＩで存在するような、強い磁場において可能である。特に、強い磁場５３０中での、そのような物質の局在化を実現することが可能である。
【０１１８】
一実施形態によれば、着磁可能な試料１０２がコイル１０４の中に導入され、且つ出力として役立つ測定インターフェース６４３の電圧曲線が評価される。測定インターフェース６４３での電圧曲線は、ここでは、試料１０２の透磁率に依存する。
【０１１９】
同様に、コイル１０４における電流もまた、測定してもよい。電流もまた、試料１０２の透磁率に依存する。
【０１２０】
そのような測定は、粒子の局在化に対して使用してもよい。
【０１２１】
これはまた、測定配置１００の小型化によって、測定アレイ又は測定磁場に関連して、実施してもよい。
【０１２２】
針形状の磁気的に伝導性のコア３２０を使用することによって、局在化を達成することが可能である。ここで、大きな磁場１０８（この磁場中で、粒子を検出してもよい）が、コア３２０の針の先端部で局所的に発生される。
【０１２３】
局在化は、発生される測定磁場１０８の、空間的に変動可能な振幅及び／又は位相変化によって、発生させてもよい。
【０１２４】
局所的に変動可能な、静的又は準静的な補助磁場５３０を、使用してもよい。
【０１２５】
ここでは、試料の物理的に異なるパラメータが測定されることを除いて、その機能性は磁性粒子画像法（ＭＰＩ)と同様である。磁化は、透磁率から計算することが可能である。透磁率を測定することは、より容易であり、且つ計測学的に有利である。従って、常磁性物質及び反磁性物質もまた、測定されるかもしれない。更に、磁気共鳴断層撮影におけるような、強い磁場５３０中においても、測定を実施することが可能である。
【０１２６】
ＭＰＩは、磁化Ｍにおける変化を測定するが、これに対して、本明細書で提示される方法は、透磁率を測定する。
【０１２７】
図１０は、懸濁液又はスラリとしての超常磁性ナノ粒子の磁化曲線を示す。透磁率は、次のように決定される。
透磁率＝（磁化／磁場強度）＋１
【０１２８】
磁場強度は、Ｘ軸上にｍＴでプロットされ、且つ磁化は、Ｙ軸上にＡｍ2でプロットされる。図示しているのは、粒子の磁化曲線１０００である。矢印１００２は、磁化率（Ｍ／Ｈ）のようなものを象徴し、且つＹ軸切片１００４は、大まかに磁化Ｍ（ここでは約１２ｍＴの励起磁場に対する）を象徴する。
【０１２９】
説明したアプローチは、様々な実施形態において実現してもよい。局所決定のための構成１００の小型化は可能である。また、アレイ構成１００を実現することも可能であり、これは、個々のコイル１０４、４０４の間で振幅及び位相を適切に選択することで、試料１０２の周りに線形的に強力なコイル１０４、４０４を配置することなどで実現する。更に、コイル１０４又はコイル１０４、４０４の測定体積部１０２内に磁場勾配を有する、静的又は準静的な補助磁場５３０を利用してもよい。
【０１３０】
図８に示した実施形態を参照すると、多数のコンデンサ、抵抗器及びコイルは、ちょうど抵抗器６５２に対するのと同様に、コイル１０４に対して並列及び／又は直列に接続してもよい。これによって、もし１つ以上のこれらの素子が調節可能である場合、手動の粗調節は、単純な方法で実現してもよい。
【０１３１】
抵抗器６５２は、コイルによって実現してもよい。このことは、もし電圧Ｕ１〜１０６、Ｕ２〜６０６の小さな位相シフトが望ましい場合、有利であり得る。このコイルは、傾度測定器と同様に、次のように接続してもよい。即ち、外部的に誘発された干渉が、反対符号の電圧振幅を発生させ、且つ最後には互いを相殺するという具合に、接続してもよい。これもまた、より低い電圧Ｕ２〜６０６でやりくりするために、利用してもよい。
【０１３２】
コイル１０４は、その内部に均質な磁場１０８を発生させることが可能なように、形成してもよい。これは、例えば、試験管の中で試料１０２を測定するのに有利である。
【０１３３】
コイル１０４は、平面エリアの前のある一定の領域に均質な磁場１０８を発生させように、また対応する非均質な磁場１０８を発生させるように形成してもよい。これによって、広範な物体１０２を、小さなセンサ１００によって、局所的に検査することが可能である。
【０１３４】
多数のそのような測定コイル１０４は、例えばアレイのような適切な配置によって、隣接する測定体積部１０２、５０２の局所測定を同時に実施してもよい。理想的には、個々のコイル１０４、４０４は、ここでは幾何学的に、誘導的に、又は競合的に切り離される。
【０１３５】
コイル１０４、４０４の配置において、拾い上げられた信号の空間的解像度はまた、個々の素子の振幅、位相及び周波数を適切に選択すること、及び測定信号を適切に再構築することによって、達成してもよい。
【０１３６】
この構成１００はまた、静的な均質磁場又は時間変動する均質磁場のような、外部的に発生された磁場５３０と共働してもよい。
【０１３７】
同様に、この構成１００はまた、空間的及び／又は時間的に変動する不均質磁場５３０と共働してもよい。適切に再構築することによって、測定された情報はまた、空間的に関連付けてもよい。
【０１３８】
一実施形態によれば、磁場が印加される場合、この構成１００はまた、線形及び非線形の着磁性を有する粒子を含めて、着磁可能な粒子を検出することに役立つ。
【０１３９】
一実施形態によれば、図８に示した構成１００は、例えば、２つの基本的な動作モードを有し、これらの１つにおいて、電圧Ｕ２〜６０６は、空の測定コイル１０４が出力信号を提供しないように選択される。そこでは測定信号１１０は、測定磁場１０８中の試料１０２の場合の出力６４３での電圧である。他の動作モードは、出力６４３では電圧が発生されないように、電圧Ｕ２〜６０６を常に選択するものである。そこでは測定信号１１０は、測定磁場１０８中の試料１０２の場合の電圧Ｕ２〜６０６と、測定磁場１０８中にいかなる試料１０２も無い状態での電圧Ｕ２〜６０６との違いである。両方の方法の任意の組み合わせを選択することもまた、可能である。従って、最大測定電圧は、例えば、制限してもよい。ここでの結果としてのダイナミックレンジは、電圧Ｕ２〜６０６のダイナミックレンジと電圧計測との和である。
【０１４０】
特別な拡張は、この測定構成１００において、磁場１０８を別の場所に伝導するための、磁気的に伝導性のコア３２０を用いる可能性である。したがって、例えば、強磁性材料の針をコイル１０４の中に据え付けることが可能である。コイル１０４は、コア３２０中で適度な磁束を発生させるが、しかし針の先端部で高い磁束を発生させる。針の先端部の領域における着磁可能な粒子は、特に高い応答信号を発生させる。何故なら、そこでは磁化が最も高いからである。この故に、顕微鏡が実現されるかもしれない。
【０１４１】
説明された実施形態は、単なる代表的なものであり、且つ互いに組み合わせてもよい。
【図１】
2016529506.tif 000003
【図２】
2016529506.tif 000004
【図３】
2016529506.tif 000005
【図４】
2016529506.tif 000006
【図５】
2016529506.tif 000007
【図６】
2016529506.tif 000008
【図７】
2016529506.tif 000009
【図８】
2016529506.tif 000010
【図９】
2016529506.tif 000011
【図１０】
2016529506.tif 000012
【国際調査報告】
2016529506.tif 000013
2016529506.tif 000014
2016529506.tif 000015
2016529506.tif 000016
2016529506.tif 000017
2016529506.tif 000018